(57)【要約】      （修正有）【課題】接触型スマートカードの安全性を向上する。【解決手段】パターン付きスマートカードモジュール２は、チップモジュール２０と、チップモジュール２０の導電性表面２１にコーティングされたパターン化されたインク層２５と、を含む。チップモジュール２０のＩＣチップは、チップデータを格納し、該チップデータは、所有者関連データを含む。パターン化されたインク層２５は所有者関連データに関連するパターンを有する。【選択図】図１
2020177633.tif 000002
【特許請求の範囲】
【請求項１】
所有者関連データを含むチップデータを格納する集積回路（ＩＣ）チップが組み込まれたチップモジュール（２０）であって、データリーダーが該チップモジュール（２０）に格納された前記チップデータを読み取るための複数の接触パッド（２２）が形成された導電性表面（２１）を有するチップモジュール（２０）と、
前記チップモジュール（２０）の前記導電性表面（２１）にコーティングされ、前記所有者関連データに関連するパターンを有するパターン化されたインク層（２５）と、を具える、
パターン付きスマートカードモジュール（２）。
【請求項２】
前記チップデータは、更に機密データを含み、前記所有者関連データは、データリーダーによる機密データへのアクセスを認証するためのものである、請求項１に記載のパターン付きスマートカードモジュール（２）。
【請求項３】
前記パターン化されたインク層（２５）は、半不透明である、請求項１または請求項２に記載のパターン付きスマートカードモジュール（２）。
【請求項４】
前記所有者関連データは、前記パターン付きスマートカードモジュール（２）の所有者の名前と電話番号と他の個人情報とのいずれかである、請求項１〜３のいずれか一項に記載のパターン付きスマートカードモジュール（２）。
【請求項５】
前記パターンは、前記所有者関連データを含む２次元バーコードである、請求項１〜４のいずれか一項に記載のパターン付きスマートカードモジュール（２）。
【請求項６】
前記パターンは、前記所有者関連データを暗号化することにより生成された暗号化データピースを示す、請求項１〜５のいずれか一項に記載のパターン付きスマートカードモジュール（２）。
【請求項７】
前記パターンは、前記所有者関連データをトークン化することにより生成されたトークン化データピースを示す、請求項１〜６のいずれか一項に記載のパターン付きスマートカードモジュール（２）。
【請求項８】
カード本体（１）と、
前記カード本体（１）に組み込まれた、請求項１に記載のパターン付きスマートカードモジュール（２）と、を具えるスマートカード。
【請求項９】
スマートカードモジュール（２’）内に組み込まれた集積回路（ＩＣ）チップに書き込まれるチップデータを格納するコンピューターデバイス（４００）を提供し、前記チップデータが所有者関連データを含み、前記スマートカードモジュール（２’）が、ＩＣチップが組み込まれ、複数の接触パッド（２２）が形成された導電性表面（２１）を有するチップモジュール（２０）と、前記チップモジュール（２０）の前記導電性表面（２１）にコーティングされた導電性インク層と、を有することと、
前記コンピューターデバイス（４００）に連結されたレーザー彫刻機（３００）を前記コンピューターデバイス（４００）によって制御して、前記スマートカードモジュール（２’）の前記導電性インク層に前記所有者関連データを示すパターンを彫刻することで、パターン化されたインク層（２５）を形成してパターン付きスマートカードモジュール（２）を形成することと、
前記コンピューターデバイス（４００）に連結されたデータ書き込み機（２００）を、前記コンピューターデバイス（４００）によって制御して、前記チップデータを前記チップモジュール（２０）内に組み込まれたＩＣチップに書き込むことと、を含む
パターン付きスマートカードモジュール（２）を製造する方法。
【請求項１０】
パターン付きスマートカードモジュール（２）の認証を検証する方法であって、
前記パターン付きスマートカードモジュール（２）は、
所有者関連データを含むチップデータを格納する集積回路（ＩＣ）チップが組み込まれ、複数の接触パッド（２２）が形成された導電性表面（２１）を有するチップモジュール（２０）と、
前記チップモジュール（２０）の前記導電性表面（２１）にコーティングされ、前記所有者関連データに関連するパターンを有するパターン化されたインク層（２５）と、を含み、
前記方法は、
データリーダーによって、前記チップモジュール（２０）の前記ＩＣチップから前記所有者関連データを読み取ることと、
カメラデバイスによって、前記パターン化されたインク層（２５）の画像をキャプチャすることと、
コンピューターデバイスによって、前記カメラデバイスによってキャプチャされた画像に基づいて、前記パターン化されたインク層（２５）の前記パターンによって示されるデータを取得することと、
前記コンピューターデバイスによって、前記パターンによって示される前記データと、前記チップモジュール（２０）の前記ＩＣチップから読み取られた前記所有者関連データと、を比較することと、を含み、
前記コンピューターデバイスは、前記パターンによって示される前記データが前記チップモジュールの前記ＩＣチップから読み取られた前記チップデータと一致した場合、前記パターン付きスマートカードモジュールに関連する次の行動を実行することができる、
パターン付きスマートカードモジュール（２）の認証を検証する方法。
【発明の詳細な説明】
【技術分野】
【０００１】
本発明は、集積電路（ＩＣ）チップが組み込まれたスマートカードモジュールに関し、より詳しくは、パターン付きスマートカードモジュールに関する。
【背景技術】
【０００２】
クレジットカード、加入者識別モジュール（ＳＩＭ）カード、健康カード、社会給付カード、あらゆる種類のＩＣカードなどの従来のスマートカードは、それぞれ、プラスチックカード本体に組み込まれたチップモジュールによって封入されたＩＣチップを含み、また、従来の接触通信に加えて、現在では、通常、無線周波数識別（ＲＦＩＤ）操作などの非接触通信が可能である。このようなスマートカードがポケット内に入れられるとき、ＩＣチップに格納されたデータが、非接触インターフェースを使用してカード所有者の認識なしに盗聴及び抽出されるリスクがある。更に、チップモジュールは、通常その接触パッドを露出させており、他の情報を提供するように使用され得たはずのスマートカードの外表面の一部を占有しており、視覚的にやや面白味を欠いてしまう。
【０００３】
米国特許出願公開第２００９／０２７２８００号明細書には、複数の接触パッドが露出しているスマートカードモジュールを有する従来のスマートカードを開示している。
【発明の概要】
【発明が解決しようとする課題】
【０００４】
そこで、本発明の一目的は、上記従来技術の欠点を少なくとも１つは解決できるパターン付きスマートカードモジュールを提供することにある。
【課題を解決するための手段】
【０００５】
本発明によれば、パターン付きスマートカードモジュールは、チップモジュールと、チップモジュールの導電性表面にコーティングされたパターン化されたインク層と、を含む。チップモジュールには、チップデータを格納するＩＣチップが組み込まれており、該導電性表面には、データリーダーがチップモジュールに格納されたチップデータを読み取るための複数の接触パッドが形成されている。チップデータは、所有者関連データを含む。パターン化されたインク層は、所有者関連データに関連するパターンを有する。
【０００６】
本発明のもう１つの目的は、上記従来技術の欠点を少なくとも１つは解決できるスマートカードを提供することにある。
【０００７】
本発明によれば、スマートカードは、カード本体と、チップデータを格納するＩＣチップが組み込まれ、カード本体に組み込まれるパターン付きスマートカードモジュールと、を含む。パターン付きスマートカードモジュールは、チップモジュールと、チップモジュールの導電性表面にコーティングされたパターン化されたインク層と、を含む。チップモジュールには、ＩＣチップが組み込まれており、該導電性表面には、データリーダーがチップモジュールに格納されたチップデータを読み取るための複数の接触パッドが形成されている。チップデータは、所有者関連データを含む。パターン化されたインク層は、所有者関連データに関連するパターンを有する。
【０００８】
本発明の更にもう１つの目的は、パターン付きスマートカードモジュールを製造する方法を提供することにある。該方法は、スマートカードモジュール内に組み込まれたＩＣチップに書き込まれるチップデータを格納するコンピューターデバイスを提供し、チップデータが所有者関連データを含み、スマートカードモジュールが、ＩＣチップが組み込まれ、複数の接触パッドが形成された導電性表面を有するチップモジュールと、チップモジュールの導電性表面にコーティングされた導電性インク層と、を有することと、コンピューターデバイスに連結されたレーザー彫刻機をコンピューターデバイスによって制御して、所有者関連データを示すパターンをスマートカードモジュールの導電性インク層に彫刻することで、パターン化されたインク層を形成してパターン付きスマートカードモジュールを形成することと、コンピューターデバイスに連結されたデータ書き込み機をコンピューターデバイスによって制御してチップデータをチップモジュール内に組み込まれたＩＣチップに書き込むことと、を含む。
【０００９】
本発明の更にもう１つの目的は、パターン付きスマートカードモジュールの認証を検証する方法を提供することにある。パターン付きスマートカードモジュールは、チップデータを格納するＩＣチップが組み込まれ、データリーダーがチップデータを読み取るための複数の接触パッドが形成された導電性表面を有し、チップデータが所有者関連データを含む、チップモジュールと、チップモジュールの導電性表面にコーティングされ、所有者関連データに関連するパターンを有するパターン化されたインク層と、を含む。該方法は、データリーダーによって、チップモジュールのＩＣチップから所有者関連データを読み取ることと、カメラデバイスによって、パターン化されたインク層の画像をキャプチャすることと、コンピューターデバイスによって、カメラデバイスによってキャプチャされた画像に基づいて、パターン化されたインク層のパターンによって示されたデータを取得することと、コンピューターデバイスによって、パターンによって示されたデータと、チップモジュールのＩＣチップから読み取られた所有者関連データと、を比較することと、を含む。コンピューターデバイスは、パターンによって示されたデータがチップモジュールのＩＣチップから読み取られたチップデータと一致した場合、パターン付きスマートカードモジュールに関連する次の行動を実行することができる。
【００１０】
本発明の他の特徴および利点は、添付の図面を参照する以下の実施形態の詳細な説明において明白になるであろう。
【図面の簡単な説明】
【００１１】
【図１】本発明に係るスマートカードの一例示的な実施形態を示す概略図である。
【図２】本実施形態に係るパターン付きスマートカードモジュールを製造するための第１の例示的なシステムを示す概略図である。
【図３】本実施形態に係るスマートカードを製造するための第２の例示的なシステムを示す概略図である。
【発明を実施するための形態】
【００１２】
本発明をより詳細に説明する前に、適切と考えられる場合において、符号又は符号の末端部は、同様の特性を有し得る対応の又は類似の要素を示すために各図面間で繰り返し用いられることに留意されたい。
【００１３】
図１に示されているように、本発明に係るスマートカードの一実施形態は、カード本体１と、ＩＣチップを封入し、カード本体１に組み込まれるパターン付きスマートカードモジュール２と、を含むことが示されている。スマートカードは、例えば、クレジットカード、ＳＩＭカード、健康カード、社会給付カード、ＩＤカードなどであってもよく、該カード本体１は、通常プラスチックにより作成される。
【００１４】
パターン付きスマートカードモジュール２は、（ベア）チップモジュール２０と、パターン化されたインク層２５とによって形成されている。チップモジュール２０には、ＩＣチップが組み込まれており、チップモジュール２０に組み込まれているＩＣチップに格納されたチップデータをデータリーダー（図示せず）により読み取るための複数の接触パッドが形成されている導電性表面２１（通常は金属表面であるが、これに限定されない）を有する。パターン化されたインク層２５は、チップモジュール２０の導電性表面２１にコーティングされている。本実施形態においては、チップデータは、スマートカードのカード所有者に関連する所有者関連データを含み、例えば、カード所有者の名前、カード所有者の電話番号、カード所有者の管理データ（例えば、キー、証明書など）などであるが、本発明はこの点に限定されない。パターン化されたインク層２５は、所有者関連データに関連するパターンを有する。
【００１５】
実際には、チップモジュール２０の導電性表面２１は、プレーンな導電性インク層を形成するために、導電性インクで処理される。そして、ＩＣチップが組み込まれたチップモジュール２０の正常な機能を損なわない方法で、従来のレーザー彫刻技術を使用して、所望のパターンを導電性インク層に形成し、パターン化されたインク層２５を作成する。本実施形態において、パターン化されたインク層２５は、半不透明の着色層であるが、本発明はこの点に限定されない。図１において、パターンは、所有者関連データを含む２次元バーコード（例えば、クイックレスポンス（ＱＲ）コード）であるが、本発明はこの点に限定されない。一例において、パターンは、所有者関連データをテキストで直接に示す文字であることが可能である。一例において、パターンは、例えば、データ暗号化標準（ＤＥＳ）、高度暗号化標準（ＡＥＳ）などを使用して、所有者関連データを暗号化することにより生成された暗号化データピースを示すことが可能である。一例において、パターンは、機密データをトークンで置き換えるために使用され、‘トークン化’として知られるプロセスを使用して、所有者関連データをトークン化することにより生成されたトークン化データピースを示すことが可能である。パターンが所有者関連データを示しているため、パターン付きスマートカードモジュール２のみでその所有権を示すことができ、従って、一部の実施形態においては、カード本体１が省略され、パターン付きスマートカードモジュール２自体がスマートカードとして機能し、スマートカードの小型化を達成する。更に、所有者関連データを示すことに加えて、パターン付きスマートカードモジュール２が、独特で、個人化された全体的な外観を有することができるように、パターンは、例えば、背景画像、背景色などで、個人化された設計を有することができる。
【００１６】
実際には、パターン化されたインク層２５及び所有者関連データは、パターン付きスマートカードモジュール２の認証または検証のために使用される。例えば、パターン付きスマートカードモジュール２が使用されているとき、所有者関連データを読み取り、パターン化されたインク層２５のパターンによって示されているデータを獲得するためのコンピューターデバイスが必要である。コンピューターデバイスは、パターン化されたインク層２５によって示されたデータが所有者関連データと一致した場合のみ、パターン付きスマートカードモジュール２に関連する次の行動（例えば、登録、システムへのログイン、支払い、機密の個人データまたは証明書の読み取り、何らかの処理、または認証が必要な行動）を実行することができる。
【００１７】
一実施例において、スマートカードＩＣチップに格納されるチップデータは、機密データ（例えば、カード所有者の個人情報、クレジットカードのカード番号、預金情報など）を含むことが可能であり、所有者関連データは、データリーダーによる機密データへのアクセスを認証する目的のために設計されることが可能である。例えば、店員がパターン付きスマートカードモジュール２を有するようなスマートカードを受け取った場合、店員は、直接に身分証明を確認し、または、パターン付きスマートカードモジュール２のパターンを介して、カード所有者の手動認証／検証を実行することができる。他の例において、データリーダー（図示せず）が、チップモジュール２０のＩＣチップに格納された機密データを読み取るために使用される場合、データリーダーは、第一に、少なくとも画像認識（例えば、光学文字認識（ＯＣＲ）、ＱＲコード（登録商標）認識など）によって、チップモジュール２０のパターンに隠されたデータを識別することが必要である。したがって、データリーダーは、スマートカードのパターン付きスマートカードモジュール２のパターン化されたインク層２５の画像をキャプチャするためにカメラデバイスを含み、または、カメラデバイスに接続されることが可能であり、該カメラデバイスによりキャプチャされた画像に基づいて、パターン化されたインク層２５のパターンによって示されたデータを獲得するために処理ユニットを含むことが可能である。パターンが暗号化データピースを示している場合、データリーダーは、さらに、パターンに隠されたデータを復号化及び識別するために復号化キーが必要となる。パターンがトークン化データピースを示している場合、データリーダーは、トークン化されたデータをデトークン化（ｄｅｔｏｋｅｎｉｚｅ）するためのトークンサービスプロバイダー（ＴＳＰ）に接続される必要があり、これにより、パターンに隠されたデータを識別する。次に、データリーダーは、チップデータの一部として、チップモジュール２０のＩＣチップに格納された所有者関連データを読み取り、識別されたデータを所有者関連データと比較する。識別されたデータが所有者関連データと一致した場合のみ、データリーダーが機密データにアクセスすることが許容される。したがって、機密データにアクセスできるのは、カード所有者がスマートカードを取り出して、一例として、取り引きを完了する場合のみであり、スマートカードがポケット、カバンなどに入れられた場合に不正な非接触読み取り操作から盗聴されることができない。
【００１８】
図２には、本発明に係るスマートカードの実施形態を生産ラインで製造するための第１の例示的なシステムが示されている。該システムは、ブランクモジュールテープが実装されている入力ローラ１００と、データ書き込み機２００と、レーザー彫刻機３００（例えば、ファイバーレーザー）と、データ書き込み機２００とレーザー彫刻機３００とに電気的に連結されているコンピューターデバイス４００と、出力ローラ５００と、を含む。ブランクモジュールテープは、それぞれ１つのＩＣチップが組み込まれ、ブランク（及びベア）チップモジュール２０によって形成される複数のブランクスマートカードモジュール２’を含み、ブランク（及びベア）チップモジュール２０は、ＩＣチップが組み込まれており、導電性インク層がコーティングされている。コンピューターデバイス４００は、ブランクチップモジュール２０に対応する複数のチップデータを格納する。入力ローラ１００及び出力ローラ５００は、共にブランクモジュールテープをデータ書き込み機２００に送り、コンピューターデバイス４００は、データ書き込み機２００に送られたブランクモジュールテープ２０のそれぞれに対して、対応するチップデータをブランクチップモジュール２０に組み込まれたＩＣチップに書き込むように、データ書き込み機２００を制御する。続いて、データ書き込み済みチップモジュール２０を有するブランクモジュールテープがレーザー彫刻機３００に送られ、そこで、コンピューターデバイス４００は、レーザー彫刻機３００に送られたデータ書き込み済みチップモジュール２０のそれぞれに対して、対応するチップデータの所有者関連データに関連するパターンをそれぞれの導電性インク層に彫刻するように、レーザー彫刻機３００を制御してデータ書き込み済みチップモジュール２０の導電性インク層に向かってレーザービームを射出することで、パターン化されたインク層２５（図１参照）を形成し、（パターン付き）スマートカードモジュール２を作成する。なお、コンピュータ装置４００は、彫刻プロセスの前に、所有者関連データを処理してパターンを作成する（例えば、所有者関連データのＱＲコード（登録商標）への変換、所有者関連データの暗号化、及び／又は所有者関連データのトークン化）ことに留意されたい。その後、モジュールテープからのパターン付きスマートカードモジュール２の切り取りや、対応のカード本体１へのパターン付きスマートカードモジュール２の組み込みなどのプロセスを実行するために、複数のパターン付きスマートカードモジュール２を含む処理済みモジュールテープは、出力ローラ５００によって次の製造ステーションに送られる。なお、他の実施形態においては、データ書き込み及びレーザー彫刻の操作の順序を交換することができ、本発明はこの点で限定されないことに留意されたい。
【００１９】
図３には、本発明に係るスマートカードの実施形態を生産ラインで製造するための第２の例示的なシステムが示されている。該システムは、カードフィーダ１１０と、レーザー彫刻機３００と、データ書き込み機２００と、データ書き込み機２００とレーザー彫刻機３００とに電気的に連結されるコンピューターデバイス４００と、カード処理システム６００と、データ読み取り機７００と、画像検査機８００と、出力トレー５１０と、を含む。なお、ここで開示された例示的な生産ラインは、データ読み取り機７００及び画像検査機８００を含む検査ステーションを有するが、他の生産ラインにおいては、該検査ステーションを省略してもよいことに留意されたい。カードフィーダ１１０は、ブランクカード本体１（図１参照）と、ブランクカード本体１に組み込まれたブランクスマートカードモジュールと、からそれぞれ構成される複数のブランクスマートカードを格納する。ブランクスマートカードチップは、ブランク（及びベア）チップモジュール２０と、ブランクチップモジュール２０にコーティングされた導電性インク層と、によって形成される。コンピューターデバイス４００は、ブランクチップモジュール２０に対応する複数のチップデータを格納する。カードフィーダ１１０は、ブランクスマートカードを、例えば、１つずつ、レーザー彫刻機３００に送り、コンピューターデバイス４００は、送られたブランクスマートカードのそれぞれに対して、対応するチップデータの所有者関連データに関連するパターンをブランクスマートカードのスマートカードチップの導電性インク層に彫刻するように、レーザー彫刻機３００を制御してチップモジュール２０にコーティングされた導電性インク層に向かってレーザービームを放出し、これによりパターン化されたインク層２５（図１参照）を形成して、ブランクスマートカードの（パターン付き）スマートカードモジュール２（図１参照）を形成する。次に、パターン付きスマートカードモジュール２を有するブランクスマートカードがデータ書き込み機２００に送られ、そこでコンピューターデバイス４００は、送られたブランクスマートカードのそれぞれに対して、対応するチップデータをブランクスマートカードのブランクチップモジュール２０のＩＣチップに書き込むように、データ書き込み機２００を制御する。その後、スマートカードの製造を完了するように、ブランクカード本体１を有するスマートカードは、カード本体１をパターン化するためのカード処理システム６００に送られる。なお、他の実施形態においては、レーザー彫刻とデータ書き込みとカード処理との操作の順序を変えることができ、本発明はこの点で限定されないことに留意されたい。
【００２０】
本例示的な生産ラインにおいて、完成されたスマートカードは、その後、検査ステーションに送られ得る。データ読み取り機７００は、各スマートカードに対して、接触又は非接触方式を用いて、スマートカードのパターン付きスマートカードモジュール２のチップモジュール２０のＩＣチップに格納されたチップデータの所有者関連データを読み取るデータリーダーである。画像検査機８００は、各スマートカードに対して、スマートカードのパターン付きスマートカードモジュール２のパターン化されたインク層２５の画像をキャプチャするためのカメラデバイスを含み、カメラデバイスによってキャプチャされた画像に基づいて、パターン化されたインク層２５のパターンによって示されるデータを取得するための処理ユニット又はコンピューターデバイスを含む。検査ステーションのコンピューターデバイス又はプロセッサは、データ読み取り機７００又は画像検査機８００のいずれかに含まれてもよく、データ読み取り機７００と画像検査機８００とに結合された別個のコンピューターデバイスであってもよく、パターンによって示されたデータと、スマートカード用のチップモジュール２０のＩＣチップから読み取られた所有者関連データと、を比較する。パターンによって示されたデータが、チップモジュール２０のＩＣチップから読み取られたチップデータと一致した場合、パターン付きスマートカードチップは、次の製造ステーション（例えば、本実施形態における出力トレー５１０）に送られ、一致しない場合、生産ラインから取り除かれ又は再加工される。
【００２１】
要約すると、パターン付きスマートカードモジュール２の実施形態は、その表面に所有者関連データを示すパターンを有するため、パターン付きスマートカードモジュール２のみでその持ち主を示すことができ、カード本体１を省略することができ、これにより、スマートカードのサイズを小型化する。一部の実施例において、パターンによって示されたデータは、チップモジュール２０のＩＣチップに格納される、機密データへのアクセスを認証するための所有者関連データを示しているため、チップモジュール２０のＩＣチップに格納されたデータのセキュリティが強化される。
【００２２】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、また、本発明の多面性が理解されることを目的としたものであり、また、一実施形態における一またはそれ以上の特徴あるいは特定の具体例は、適切な場合には、本開示の実施において、他の実施形態における一またはそれ以上の特徴あるいは特定の具体例と共に実施され得る。
【００２３】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【図１】
2020177633.tif 000003
【図２】
2020177633.tif 000004
【図３】
2020177633.tif 000005
【外国語明細書】
2020177633000001.pdf
2020177633000002.pdf
2020177633000003.pdf
2020177633000004.pdf